(57)【要約】【課題】二つの搬送方法の存在する搬送ローラ１１には、それぞれ適切な範囲の進入位置及び排出位置を実現するための構成が存在する。【解決手段】第１モードにおける駆動ローラ４１と下流側従動ローラ４２との接触位置は、第２モードにおける駆動ローラ４１と下流側従動ローラ４２との接触位置と、駆動ローラ４１と上流側従動ローラ４３との接触位置との間に存在する。その為両モードでは、排紙ローラ群１１の搬送方向における下流側及び上流側において、用紙２の進入及び排出が適切に行われるように、駆動ローラ４１とそれぞれ下流側従動ローラ４２と上流側従動ローラ４３との接触位置が形成される。【選択図】        図２
2010018354.tif 000002
【特許請求の範囲】
【請求項１】
駆動ローラと、前記駆動ローラと接触回転することにより用紙を排紙トレイへ排出する第１従動ローラ及び第２従動ローラと、を備えた排紙装置であって、
前記駆動ローラに対し前記第１従動ローラ及び第２従動ローラのうち前記第１従動ローラのみが接触する第１モードと、前記駆動ローラと前記第１従動ローラ及び前記第２従動ローラの両従動ローラが接触する第２モードと、を有し、
前記第１モードにおける前記駆動ローラと前記第１従動ローラとの接触位置は、前記第２モードにおける前記駆動ローラと前記第１従動ローラとの接触位置と、前記駆動ローラと前記第２従動ローラとの接触位置との間であることを特徴とする排紙装置。
【請求項２】
前記第１モードにおける前記第１従動ローラと、前記第２モードにおける前記第１従動ローラとは、前記第１従動ローラの回転軸方向において別個に設けられることを特徴とする請求項１に記載の排紙装置。
【請求項３】
請求項１又は請求項２に記載の排紙装置を備えることを特徴とする印刷装置。
【発明の詳細な説明】
【技術分野】
【０００１】
本発明は、排紙装置、及び印刷装置に関する。
【背景技術】
【０００２】
従来から、一般的な複写装置において、トナー像を転写した記録紙は、熱定着方式の定着装置を通過すると、熱ローラの熱とローラの圧力によってカールが発生する。そして、複写装置内の記録紙にカールが発生すると、ジャムが発生したり、感光ドラムや定着ローラに巻き付いて搬送不能となる場合がある。
【０００３】
そのため、印刷方法に応じて記録紙のカールの発生を予測し、一対の排紙ローラ及び圧着ローラによって、カールを矯正する技術が開示されている。前記技術によると、カールが発生しにくい場合には、一対の排紙ローラのみで排紙を行い、カールが発生する場合には、一対の排紙ローラ及び圧着ローラによりカール矯正をしつつ排紙を行う。
【特許文献１】特開昭６２−１３０９６７号公報
【発明の開示】
【発明が解決しようとする課題】
【０００４】
しかしながら上記技術では、記録紙が排紙ローラ群から排紙トレイへ排出される側に圧着ローラがあるので、圧着ローラが圧接されているか否かによって記録紙が排出される排出位置が異なる。そのため、記録紙が排紙トレイに積載される際の積載性に課題がある。
【０００５】
仮に記録紙が排紙ローラ群に進入する側に圧着ローラが備えられたとしても、圧着ローラが圧接されているか否かによって記録紙が進入する進入位置が異なるため、それぞれのローラの状態によって記録紙の進入にばらつきが生じる。そのため、記録紙の排紙ローラ群への進入が困難となり、最悪の場合、排紙ローラ群への進入が不可能となり搬送が不可能となる場合がある。
【０００６】
本発明は、カール矯正をしつつ記録紙の排紙を行うとともに、記録紙の積載性及び搬送性を改善した排紙装置及び印刷装置を提供することを目的とする。
【課題を解決するための手段】
【０００７】
この目的を達成するために、請求項１に記載の排紙装置は、駆動ローラと、前記駆動ローラと接触回転することにより用紙を排紙トレイへ排出する第１従動ローラ及び第２従動ローラと、を備えた排紙装置であって、前記駆動ローラに対し前記第１従動ローラ及び第２従動ローラのうち前記第１従動ローラのみが接触する第１モードと、前記駆動ローラと前記第１従動ローラ及び前記第２従動ローラの両従動ローラが接触する第２モードと、を有し、前記第１モードにおける前記駆動ローラと前記第１従動ローラとの接触位置は、前記第２モードにおける前記駆動ローラと前記第１従動ローラとの接触位置と、前記駆動ローラと前記第２従動ローラとの接触位置との間であることを特徴とする。
【０００８】
また、請求項２に記載の排紙装置は、前記第１モードにおける前記第１従動ローラと、前記第２モードにおける前記第１従動ローラとは、前記第１従動ローラの回転軸方向において別個に設けられることを特徴とする。
【０００９】
また、請求項３に記載の印刷装置は、請求項１又は請求項２に記載の排紙装置を備えることを特徴とする。
【発明の効果】
【００１０】
請求項１及び請求項３に記載の排紙装置及び印刷装置によれば、第２従動ローラを駆動ローラに接触させない第１モードと接触させる第２モードとを備え、さらに第１モードと第２モードにおける駆動ローラと第１従動ローラとの接触位置を変えることにより、記録紙の搬送における進入位置及び排出位置のばらつきを小さく抑えることができる。従って、用紙を良好に搬送することができる。
【００１１】
請求項２に記載の排紙装置によれば、第２従動ローラが駆動ローラに接触する状態（第２モード）と接触しない状態（第１モード）の切り替えと、駆動ローラと第１従動ローラとの接触位置の切り替えを、簡易に行うことができる。
【発明を実施するための最良の形態】
【００１２】
本発明の実施形態を図面と共に説明する。
【００１３】
＜印刷装置の全体構成＞
図１は、本発明の印刷装置の一例としてのプリンタ１の概略構成を示す側断面図である。図１を用いて、プリンタ１の全体構成を説明する。説明の便宜上、図中左右方向にＸ軸を取り、図中上下方向にＹ軸を取っている。
【００１４】
プリンタ１は、本体３を備えている。本体３の前面側（＋Ｘ側）には蓋部として蓋４が備えられており、使用者が本体内部にアクセスするための入り口を覆っている。本体３の底部（−Ｙ側）には給紙トレイ５が備えられており、給紙トレイ５には、用紙２が積層されて収容されている。
【００１５】
プリンタ１は、図示しないパソコン、サーバ、デジタルカメラ、ＵＳＢメモリ等から受信した画像データに基づいて用紙２に印刷するものである。
【００１６】
本体３内には、給紙トレイ５から取り出した用紙２を本体３の外部（排紙トレイ８）へ搬送させる搬送路が設けられており、搬送路上には、上流側から順に、印刷部６、定着部７がそれぞれ配置されている。本体３の上側（＋Ｙ側）には排紙トレイ８が形成されており、印刷された用紙２は搬送路において搬送され、排紙トレイ８上に排出される。
【００１７】
搬送路には、用紙２を搬送させるために、給紙ローラ９と、レジストローラ１０と、本発明の排紙装置の一例としての排紙ローラ群１１が配置されている。
【００１８】
給紙ローラ９は、給紙トレイ５の前端（＋Ｘ側）に配置されており、給紙トレイ５に収容される用紙２をピックアップしてレジストローラ１０へ送り出す。レジストローラ１０は、印刷部６の上流側に配置され、用紙２の斜行を補正して印刷部６へ送り出す。
【００１９】
印刷部６は、帯電器１２と、感光ドラム１３と、スキャナ部１４と、トナーカートリッジ１５と、トナー１６と、転写ローラ１７とによって構成されており、入力される画像データに基づいて用紙２上に画像を形成する。
【００２０】
帯電器１２は感光ドラム１３の近傍に配置されており、帯電器１２によって帯電された感光ドラム１３の表面に、スキャナ部１４からレーザが照射されて静電潜像が形成される。感光ドラム１３は、トナーカートリッジ１５からトナー１６が供給され、感光ドラム１３上の静電潜像が可視化される。
【００２１】
感光ドラム１３には、転写ローラ１７が対向配置されており、レジストローラ１０から感光ドラム１３と転写ローラ１７との間に搬送されてきた用紙２に、感光ドラム１３と転
写ローラ１７によってトナー画像が転写される。
【００２２】
感光ドラム１３の下流側には定着部７が配置され、用紙２に転写された画像が熱定着される。
【００２３】
＜第１実施形態＞
図２及び図３は、第１実施形態の排紙部を示した図である。図２は、本発明の第１モードの一例を示し、図３は、本発明の第２モードの一例を示す。説明の便宜上、図１に対応してＸ軸及びＹ軸を取り、新たにＺ軸も設ける。
【００２４】
また、それぞれの図の（Ａ）は排紙部の斜視図であり、（Ｂ）はＸＹ平面の断面図である。また、（Ｃ）は（Ｂ）におけるＡ−Ａ断面又はＢ−Ｂ断面から見た断面図である。
【００２５】
プリンタ１の排紙部は排紙トレイ８、排紙ローラ群１１、及びコロホルダ４６によって構成されている。
【００２６】
排紙ローラ群１１は、Ｚ軸方向に４つ配置されている。両端の２つの排紙ローラ群１１は、駆動ローラ４１と、本発明の第１従動ローラである下流側従動ローラ４２と、本発明の題２従動ローラである上流側従動ローラ４３とから構成され、中央の２つの排紙ローラ群１１は、補助駆動ローラ４４と、補助従動ローラ４５とから構成されている。
【００２７】
下流側従動ローラ４２及び上流側従動ローラ４３は、コロホルダ４６によって一体となって構成されている。即ちコロホルダ４６により、下流側従動ローラ４２と上流側従動ローラ４３との相対的な位置は固定される。
【００２８】
コロホルダ４６は、図示しないモータと接続されており、図示しない回動軸を中心に回動する事により、本発明の第１モードである第１位置（図２）と本発明の第２モードである第２位置（図３）との間で移動可能に構成されている。
【００２９】
次に、図２を用いて第１モードを説明する。
【００３０】
第１モードとは、排紙ローラ群１１によってカールを矯正せず排紙を行う排紙モードである。第１モードでは、コロホルダ４６が第１位置にあり、駆動ローラ４１と下流側従動ローラ４２との間、及び補助駆動ローラ４４と補助従動ローラ４５との間で用紙２が挟みこまれる。用紙２が排紙ローラ群１１まで搬送されると、駆動ローラ４１及び補助駆動ローラ４４が図示しないモータ等で回転駆動されることにより、用紙２はカールを矯正されず排紙トレイ８に排紙される。
【００３１】
更に、図３を用いて第２モードを説明する。
【００３２】
第２モードとは、排紙ローラ群１１によってカールを矯正して排紙を行う排紙モードである。第２モードでは、コロホルダ４６が第２位置にあり、駆動ローラ４１と下流側従動ローラ４２と上流側従動ローラ４３の両ローラとの間、及び補助駆動ローラ４４と補助従動ローラ４５との間で用紙２が挟みこまれる。用紙２が排紙ローラ群１１まで搬送されると、駆動ローラ４１及び補助駆動ローラ４４が図示しないモータ等で回転駆動されることにより、用紙２はカールを矯正されて排紙トレイ８に排紙される。
【００３３】
また、第１モードにおける駆動ローラ４１と下流側従動ローラ４２との接触位置は、第２モードにおける駆動ローラ４１と下流側従動ローラ４２との接触位置と、駆動ローラ４１と上流側従動ローラ４３との接触位置との間に存在する。その為、両排紙モードでは、
排紙ローラ群１１の搬送方向における下流側及び上流側において、用紙２の進入及び排出が適切に行われるように、駆動ローラ４１とそれぞれ下流側従動ローラ４２と上流側従動ローラ４３との接触位置が形成されている。
【００３４】
尚、第１モードと第２モードのそれぞれのモードを切り替えるには、図示しない切り替えスイッチが操作者によって押下されることにより実現される。即ち、切り替えスイッチが押下されると、コロホルダ４６に接続されている図示しないモータが駆動し、コロホルダ４６の位置が第１位置または第２位置に切り替わる。そして、コロホルダ４６と一体となって下流側従動ローラ４２及び上流側従動ローラ４３のそれぞれの位置が切り替えられ、それぞれの排紙モードが構成される。
【００３５】
本実施形態では、駆動ローラ４１と下流側従動ローラ４２とが接触し第１モード（第１位置）が構成されているが、駆動ローラと上流側従動ローラ４３とが接触することで第１モード（第１位置）が構成されても良い。この場合、上流側従動ローラ４１が本発明の第１従動ローラに相当し、下流側従動ローラ４２が本発明の第２従動ローラに相当する。
【００３６】
＜第２実施形態＞
図４及び図５は、第２実施形態の排紙部を示した図である。図４は、第１モードの一例を示し、図５は、第２モードの一例を示す。図２及び図３と同様に、説明の便宜上、図１に対応してＸ軸及びＹ軸を取り、新たにＺ軸も設ける。
【００３７】
また、図２及び図３と同様に、それぞれの図の（Ａ）は排紙部の斜視図であり、（Ｂ）はＸＹ平面の断面図である。また、（Ｃ）は（Ｂ）におけるＣ−Ｃ断面又はＤ−Ｄ断面から見た断面図である。
【００３８】
尚、第２実施形態では、第１実施形態において説明した部分に関しては、説明を省略する。
【００３９】
第２実施形態では、排紙トレイ８、排紙ローラ群１１、コロホルダ４６、及びコロユニット５１によって排紙部が構成されている。
【００４０】
第２実施形態では、第１実施形態と同様に、排紙ローラ群１１は、Ｚ軸方向に４つ配置されている。両端の２つの排紙ローラ群１１は、駆動ローラ４１と、下流側従動ローラ４２と、上流側従動ローラ４３と、本発明の第１従動ローラである中央従動ローラ５２とから構成され、中央の２つの排紙ローラ群１１は、補助駆動ローラ４４と、補助従動ローラ４５とから構成されている。
【００４１】
下流側従動ローラ４２及び上流側従動ローラ４３は、コロホルダ４６によって一体となって構成されている。即ちコロホルダ４６により、下流側従動ローラ４２と上流側従動ローラ４３との相対的な位置は固定される。
【００４２】
また、上流側従動ローラ４１と下流側従動ローラ４２（コロホルダ４６）、及び中央従動ローラ５２は、コロユニット５１によって一体となって構成されている。
【００４３】
コロユニット５１は、図示しないモータと接続されており、Ｚ軸方向に沿ってスライドする事により、本発明の第１モードである第１位置（図４）と本発明の第２モードである第２位置（図５）との間で移動可能に構成されている。
【００４４】
次に、図４を用いて第１モードを説明する。
【００４５】
第１モードでは、コロユニット５１が第１位置にあり、駆動ローラ４１と中央従動ローラ５２との間、及び補助駆動ローラ４４と補助従動ローラ４５との間で用紙２が挟みこまれる。用紙２が排紙ローラ群１１まで搬送されると、駆動ローラ４１及び補助駆動ローラ４４が図示しないモータ等で回転駆動されることにより、用紙２はカールを矯正されず排紙トレイ８に排紙される。
【００４６】
更に、図５を用いて第２モードを説明する。
【００４７】
第２モードでは、コロユニット５１が第２位置にあり、駆動ローラ４１と下流側従動ローラ４２と上流側従動ローラ４３の両ローラとの間、及び補助駆動ローラ４４と補助従動ローラ４５との間で用紙２が挟みこまれる。用紙２が排紙ローラ群１１まで搬送されると、駆動ローラ４１及び補助駆動ローラ４４が図示しないモータ等で回転駆動されることにより、用紙２はカールを矯正されて排紙トレイ８に排紙される。
【００４８】
また、第１モードにおける駆動ローラ４１と中央従動ローラ５２との接触位置は、第２モードにおける駆動ローラ４１と下流側従動ローラ４２との接触位置と、駆動ローラ４１と上流側従動ローラ４３との接触位置との間に存在する。
【００４９】
尚、第１実施形態と同様に１モードと第２モードのそれぞれのモードを切り替えるには、図示しない切り替えスイッチが操作者によって押下されることにより実現される。即ち、切り替えスイッチが押下されると、コロユニット５１に接続されている図示しないモータが駆動し、コロユニット５１の位置が第１位置または第２位置に切り替わる。そして、コロユニット５１と一体となって下流側従動ローラ４２、上流側従動ローラ４３、及び中央従動ローラ５２のそれぞれの位置が切り替えられ、それぞれの排紙モードが構成される。
【００５０】
第２実施形態では中央従動ローラ５２を備えることで構成が簡易になるため、それぞれの排紙モードへの切り替えを簡易に行うことが可能である。
【００５１】
＜他の実施形態＞
本発明は上記記述及び図面によって説明した実施形態に限定されるものではなく、例えば次のような実施形態も本発明の技術的範囲に含まれる。
【００５２】
（１）上記実施形態では、それぞれのモードを切り替える切り替え手段として図示しないモータを用いたが、ソレノイド等を駆動源として用いても良いし、本体３の外部にレバー等を備え、操作者がレバーを操作することで切り替えが実行されても良い。
【００５３】
（２）上記実施形態では、操作者によって切り替えスイッチが押下されることでそれぞれのモードが切り替えられたが、切り替えるために切り替えスイッチを用いない構成でも良い。例えば、印刷モード（単頁印刷と連続印刷、又はモノクロ印刷とカラー印刷等）や印刷時間等のプリンタ１の印刷方法に応じて用紙２のカールを予想し切り替えられても良いし、温度センサや湿度センサ等の各種センサによって用紙２のカール状態を予想し切り替えられても良い。もちろん用紙２のカールを測定してカール状態によって切り替えられても良い。
【００５４】
（３）上記実施形態では、排紙ローラ群１１の数が４つ配置されていたが、本発明では排紙ローラ群１１の数は限定されない。例えば、駆動ローラ４１及び補助駆動ローラ４４が５つ以上配置され、それに見合った下流側従動ローラ４２、上流側従動ローラ４３、補助従動ローラ４４、及び中央従動ローラ５２が配置されても良い。又、排紙ローラ群１１の数が４つ以下であっても良い。
【００５５】
また、本発明では、図３又は図５のそれぞれの（Ｃ）図で示したように、Ｚ軸方向両端に配置されている駆動ローラ４１に対して、下流側従動ローラ４２及び上流側従動ローラ４３を配置した。第２モードにおいてカールを矯正する為に最低限必要な構成であるため上記構成を採用したが、全ての駆動ローラ４１に対して下流側従動ローラ４２及び上流側従動ローラ４３を配置しても良い。
【００５６】
（４）上記実施形態では、本発明の印刷装置としてプリンタ１が採用されているが、本発明の印刷装置はそれに限定されず、コピー機、複合機等、広く知られている印刷装置に適用可能である。
【００５７】
また、本実施形態のプリンタ１は、トナーカートリッジ１５が一つしか設置されておらず、単色のトナー１６による印刷しかできないが、本発明の印刷装置はそれに限定されない。すなわち、印刷部６にトナーカートリッジ１５が複数構成され、複数のカラーのトナー１６での印刷（例えば、イエロー、マゼンタ、シアン、及びブラックのトナー１６による印刷）が可能なプリンタにも適用可能である。
【００５８】
さらに、本実施形態のプリンタ１は、電子写真方式のプリンタであるが、本発明の印刷装置はそれに限定されず、インクジェット方式のプリンタであっても良い。
【図面の簡単な説明】
【００５９】
【図１】プリンタ１の概略構成を示す側断面図である。
【図２】（Ａ）は第１実施形態における第１モードの排紙部の斜視図である。（Ｂ）は第１実施形態における第１モードの排紙部のＸＹ平面の断面図である。（Ｃ）は第１実施形態における第１モードの排紙部のＹＺ平面の断面図である。
【図３】（Ａ）は第１実施形態における第２モードの排紙部の斜視図である。（Ｂ）は第１実施形態における第２モードの排紙部のＸＹ平面の断面図である。（Ｃ）は第１実施形態における第２モードの排紙部のＹＺ平面の断面図である。
【図４】（Ａ）は第２実施形態における第１モードの排紙部の斜視図である。（Ｂ）は第２実施形態における第１モードの排紙部のＸＹ平面の断面図である。（Ｃ）は第２実施形態における第１モードの排紙部のＹＺ平面の断面図である。
【図５】（Ａ）は第２実施形態における第２モードの排紙部の斜視図である。（Ｂ）は第２実施形態における第２モードの排紙部のＸＹ平面の断面図である。（Ｃ）は第２実施形態における第２モードの排紙部のＹＺ平面の断面図である。
【符号の説明】
【００６０】
１  プリンタ
２  用紙
８  排紙トレイ
１１  排紙ローラ群
４１  駆動ローラ
４２  下流側従動ローラ
４３  上流側従動ローラ
５２  中央従動ローラ
【図１】
2010018354.tif 000003
【図２】
2010018354.tif 000004
【図３】
2010018354.tif 000005
【図４】
2010018354.tif 000006
【図５】
2010018354.tif 000007